(57)【特許請求の範囲】
【請求項１】
前蓋と後蓋とを連結部によって折れ曲がり可能に連結して鍵盤蓋を構成し、この鍵盤蓋で楽器ケース内に設けられた鍵盤部を開閉自在に覆う鍵盤蓋の開閉機構において、
前記鍵盤蓋を開閉するときに前記前蓋を前記鍵盤部の前後方向にガイドすると共に前記前蓋が移動するときに前記前蓋の後部側を支持する第１ガイド部と、
前記鍵盤蓋を開くときに前記連結部で折れ曲がる前記後蓋を前記鍵盤部の後方から斜め下方に向けてガイドして前記後蓋を起立させる第２ガイド部と、
前記第２ガイド部に設けられて前記後蓋が起立した状態のときに前記後蓋の後端部の移動を阻止して前記後蓋の後端部を回動可能に保持する保持部と、
前記楽器ケース内の後面に設けられて前記後蓋が起立して後方に傾いたときに前記後蓋の前端部が弾力的に当接するストッパ部と
を備えたことを特徴とする鍵盤蓋の開閉機構。
【請求項２】
前記第１ガイド部は、前記前蓋の前端部に設けられたガイド軸部と、前記楽器ケース内の両側面に設けられて前記ガイド軸部の両端を前記鍵盤部に沿ってガイドする前蓋ガイド部材と、前記前蓋が移動するときに前記前蓋の下面側を支持するガイド支持部とを備えていることを特徴とする請求項１に記載の鍵盤蓋の開閉機構。
【請求項３】
前記前蓋の下面には、前記前蓋が移動するときに前記ガイド支持部上を摺動する摺動部材が設けられていることを特徴とする請求項２に記載の鍵盤蓋の開閉機構。
【請求項４】
前記前蓋ガイド部材には、前記後蓋が起立し後方に傾いて前記ストッパ部に当接した状態で前記前蓋が前記楽器ケース内に収納されたときに、前記ガイド軸部の前方への移動を規制する補助ストッパ部が設けられていることを特徴とする請求項２または３に記載の鍵盤蓋の開閉機構。
【請求項５】
前記第２ガイド部は、前記後蓋の後端部に設けられたピニオンと、前記楽器ケース内の側面に設けられて前記ピニオンが噛み合って転動するラックと、前記ピニオンを前記ラックに沿って斜め上下方向にガイドして前記後蓋を起立させた状態で前記楽器ケース内に収納させるピニオンガイド溝部とを備えていることを特徴とする請求項１〜４のいずれに記載の鍵盤蓋の開閉機構。
【請求項６】
前記後蓋の重量を軽減するためのダンパー部材を備えていることを特徴とする請求項１〜５のいずれに記載の鍵盤蓋の開閉機構。
【発明の詳細な説明】
【技術分野】
【０００１】
この発明は、電子ピアノなどの鍵盤楽器における鍵盤蓋の開閉機構に関する。
【背景技術】
【０００２】
従来、鍵盤楽器においては、特許文献１に記載されているように、楽器ケースのコンパクト化を図るために、鍵盤蓋を前蓋と後蓋とに分割し、この前蓋と後蓋とを連結部で折れ曲がり可能に連結して鍵盤蓋を構成し、この鍵盤蓋で楽器ケース内に設けられた鍵盤部を開閉自在に覆うように構成することにより、鍵盤蓋を開いて鍵盤部を露呈させたときに、前蓋と後蓋とが連結部で折れ曲がって楽器ケース内に収納され、また鍵盤蓋を楽器ケース内から引き出して閉じたときに、前蓋と後蓋とが平板状に連続して鍵盤部の上方を覆うように構成したものがある。
【特許文献１】特開平１０−１９８３３９号
【０００３】
このような鍵盤楽器における鍵盤蓋の開閉機構は、鍵盤蓋を楽器ケース内に収納するときに、前蓋を鍵盤部の前側から後側に向けて移動させると、後蓋が連結部で折れ曲がりながら鍵盤部の後方に向けて移動し、前蓋が楽器ケース内に収納されたときに、後蓋の後端部が下がって後蓋が起立した状態で収納されるのであるが、後蓋が連結部で折れ曲がるときに、前蓋の後部が不安定な状態になるため、前蓋の後部を補助機構で支持するように構成されている。
【０００４】
すなわち、この補助機構は、楽器ケース内に前蓋の後部を支持する支持板を前後方向に回動可能に起立させて設け、前蓋が開く方向に移動して後蓋が連結部で折れ曲がり始めたときに、支持板の上端部で前蓋の後部を支持し、この状態で更に前蓋が開く方向に移動するときに、その移動に伴って支持板が後方に回動しながら前蓋の後部を支持し続けることにより、前蓋の後部の下がりを規制し、また鍵盤蓋を閉じるときにも、前蓋の移動に伴って支持板が前蓋を支持した状態で上記とは逆の前方に向けて回動しながら前蓋の後部を支持し続け、鍵盤蓋が完全に閉じるときに支持板が前蓋から離れるように構成されている。
【発明の開示】
【発明が解決しようとする課題】
【０００５】
しかしながら、このような従来の鍵盤蓋の開閉機構では、鍵盤蓋を楽器ケース内に収納するときに、前蓋の動作に伴って前蓋の後部を可動部である補助機構で支持しなければならず、またこの補助機構の支持板が後蓋の移動を妨げないように、支持板を楽器ケース内に回動可能に設ける必要があるばかりか、鍵盤蓋を開閉動作させるときに前蓋の後部を常に支持板で支持し、鍵盤蓋を閉じたときに支持板が前蓋から離れるように構成しなければならない。
【０００６】
このため、この従来の鍵盤蓋の開閉機構では、補助機構の支持板の取付位置やその組立時に微妙な精度が要求されるばかりか、補助機構の設置場所および補助機構の動作範囲を確保する必要があるため、楽器ケース内に補助機構を設置するための広いスペースが必要となり、これに伴って楽器ケース全体が大型化するという問題がある。特に、補助機構の支持板で前蓋の後部を支持することで、鍵盤蓋全体の動作軌道を作っているため、鍵盤蓋を分割する際、前蓋を後蓋よりも長く構成しなければならず、このため前蓋の前後方向の移動距離が長くなり、これによっても楽器ケース全体が大型化するという問題がある。
【０００７】
この発明が解決しようとする課題は、簡単な構造で、鍵盤蓋を円滑に開閉することができると共に、楽器ケースのより一層の小型化を図ることができる鍵盤蓋の開閉機構を提供することである。
【課題を解決するための手段】
【０００８】
この発明は、上記課題を解決するために、次のような構成要素を備えている。
なお、各構成要素には、後述する各実施形態の項で説明される各要素に付されている図面の参照番号などを括弧と共に付す。
【０００９】
請求項１に記載の発明は、図１〜図１２に示すように、前蓋（１２）と後蓋（１３）とを連結部（蝶番１４）によって折れ曲がり可能に連結して鍵盤蓋（３）を構成し、この鍵盤蓋で楽器ケース（１）内に設けられた鍵盤部（２）を開閉自在に覆う鍵盤蓋の開閉機構において、
前記鍵盤蓋を開閉するときに前記前蓋を前記鍵盤部の前後方向にガイドすると共に前記前蓋が移動するときに前記前蓋の後部側を支持する第１ガイド部（１５）と、前記鍵盤蓋を開くときに前記連結部で折れ曲がる前記後蓋を前記鍵盤部の後方から斜め下方に向けてガイドして前記後蓋を起立させる第２ガイド部（１６）と、前記第２ガイド部に設けられて前記後蓋が起立した状態のときに前記後蓋の後端部の移動を阻止して前記後蓋の後端部を回動可能に保持する保持部（１７）と、前記楽器ケース内の後面に設けられて前記後蓋が起立して後方に傾いたときに前記後蓋の前端部が弾力的に当接するストッパ部（１８）とを備えたことを特徴とする鍵盤蓋の開閉機構である。
【００１０】
請求項２に記載の発明は、図１〜図１２に示すように、前記第１ガイド部（１５）が、前記前蓋（１２）の前端部に設けられたガイド軸部（２０）と、前記楽器ケース（１）内の両側面に設けられて前記ガイド軸部の両端を前記鍵盤部（２）に沿ってガイドする前蓋ガイド部材（２１）と、前記前蓋が移動するときに前記前蓋の下面側を支持するガイド支持部（２２）とを備えていることを特徴とする請求項１に記載の鍵盤蓋の開閉機構である。
【００１１】
請求項３に記載の発明は、図１〜図１２に示すように、前記前蓋（１２）の下面に、前記前蓋が移動するときに前記ガイド支持部（２２）上を摺動する摺動部材（２４）が設けられていることを特徴とする請求項２に記載の鍵盤蓋の開閉機構である。
【００１２】
請求項４に記載の発明は、図１〜図１２に示すように、前記前蓋ガイド部材（２１）に、前記後蓋（１３）が起立し後方に傾いて前記ストッパ部（１８）に当接した状態で前記前蓋（１２）が前記楽器ケース（１）内に収納されたときに、前記ガイド軸部（２０）の前方への移動を規制する補助ストッパ部（３０）が設けられていることを特徴とする請求項２または３に記載の鍵盤蓋の開閉機構である。
【００１３】
請求項５に記載の発明は、図１〜図１２に示すように、前記第２ガイド部（１６）が、前記後蓋（１３）の後端部に設けられたピニオン（２５）と、前記楽器ケース（１）内の側面に設けられて前記ピニオンが噛み合って転動するラック（２６）と、前記ピニオンを前記ラックに沿って斜め上下方向にガイドして前記後蓋を起立させた状態で前記楽器ケース（１）内に収納させるピニオンガイド溝部（２７）とを備えていることを特徴とする請求項１〜４のいずれに記載の鍵盤蓋の開閉機構である。
【００１４】
請求項６に記載の発明は、図９〜図１２に示すように、前記後蓋（１３）の重量を軽減するためのダンパー部材（３６）を備えていることを特徴とする請求項１〜５のいずれに記載の鍵盤蓋の開閉機構である。
【発明の効果】
【００１５】
請求項１に記載の発明によれば、前蓋と後蓋とが連結部で折れ曲がり可能に連結された鍵盤蓋を開閉するときに、前蓋を楽器ケース内の鍵盤部の前後方向にガイドすると共に前蓋が移動するときに前蓋の後部側を支持する第１ガイド部と、鍵盤蓋を開くときに連結部で折れ曲がる後蓋を鍵盤部の後方から斜め下方に向けてガイドして後蓋を起立させる第２ガイド部とを備えていることにより、鍵盤蓋を開くときに、第１ガイド部によって前蓋の後部を支持しながら前蓋をガイドすることができると共に、第２ガイド部によって後蓋を斜め下方に向けてガイドして起立させた状態で楽器ケース内に収納することができる。このため、鍵盤蓋が前蓋と後蓋とを連結部で折れ曲がり可能に連結した構成であっても、従来例の補助機構のような可動部を必要とせず、簡単な構造で、鍵盤蓋の開閉時に前蓋の後部の下がりを規制して、鍵盤蓋を安定させた状態で円滑に開閉することができる。
【００１６】
また、鍵盤蓋を楽器ケース内に収納したときには、後蓋が起立した状態で第２ガイド部に設けられた保持部によって後蓋の後端部が回動可能に保持されるので、この起立した後蓋によって前蓋の後端部を支持することができ、これにより前蓋がガイド支持部から後方に離れていても、前蓋の後端部を安定した状態で支持することができると共に、鍵盤蓋を閉じるときには、起立した後蓋が前蓋の後端部を支持しながら保持部を中心に前方に回動するので、滑らかに鍵盤蓋を引き出すことができる。また、後蓋が起立して後方に傾いたときには、楽器ケース内の後面に設けられたストッパ部に後蓋の前端部が弾力的に当接するので、鍵盤蓋を楽器ケース内に収納したときに、起立した後蓋を後方に傾けた一定の状態で保持することができ、これにより鍵盤蓋を安定した一定の状態で良好に楽器ケース内に収納することができる。
【００１７】
このように、請求項１に記載の発明によれば、鍵盤蓋を開閉するときに第１ガイド部が前蓋の後部側の下がりを規制しながら前蓋を安定させた状態で鍵盤部の前後方向にガイドするので、前蓋と後蓋とをほぼ同じ大きさ、あるいは前蓋を後蓋よりも短く形成することができ、このため前蓋と後蓋との前後方向への移動距離を短くすることができると共に、前蓋と後蓋とを楽器ケース内にコンパクトに収納することができ、これにより楽器ケース全体のより一層の小型化を図ることができる。
【００１８】
請求項２に記載の発明によれば、第１ガイド部が、前蓋の前端部に設けられたガイド軸部と、楽器ケース内の両側面に設けられてガイド軸部の両端を鍵盤部に沿ってガイドする前蓋ガイド部材と、前蓋が移動するときに前蓋の下面側を支持するガイド支持部とを備えていることにより、前蓋のガイド軸部が楽器ケースに設けられた前蓋ガイド部材に沿ってガイドされるため、前蓋を安定したほぼ一定の状態で移動させることができると共に、前蓋が移動するときに、ガイド支持部によって前蓋の後部を確実に支持することができ、これにより可動部を必要としない簡単な構造で、前蓋の後部の下がりを規制して、前蓋を安定したほぼ一定の状態で良好に開閉移動させることができる。
【００１９】
この場合、例えば、ガイド支持部が、鍵盤部のほぼ中間部に対応する箇所から鍵盤部の後端部に対応する箇所において、緩やかに盛り上がる山形状に連続して形成され、鍵盤蓋を閉じた状態のときに前蓋の後端部近傍に山形状のガイド支持部の前端部が位置するように構成されていれば、前蓋を開く方向に移動させたときに前蓋の後部下面側を速やかにガイド支持部で支持することができ、これにより前蓋を安定させた状態で良好に移動させることができる。
【００２０】
請求項３に記載の発明によれば、前蓋の下面に、前蓋が移動するときにガイド支持部上を摺動する摺動部材が設けられていることにより、前蓋の後部がガイド支持部で支持されながら移動するときに、前蓋の下面に設けられた摺動部材がガイド支持部上を摺動するので、前蓋の動作性が良く、円滑に且つ良好に前蓋を移動させることができる。
【００２１】
この場合、特に摺動部材は、その前部および後部が斜め上方に傾斜する傾斜部に形成されて、全体がそり形状に形成されていれば、前蓋が移動するときに前部と後部とのいずれかの傾斜部がガイド支持部に滑らかに接触しながら乗り上げるので、前蓋をガイド支持部で支持しながら円滑に移動させることができる。また、この摺動部材に、例えば滑り性を有する樹脂シートで無反発力または低反発力のクッション材を覆った滑り部材を設け、この滑り部材の樹脂シートをガイド支持部上に接触させて摺動させれば、異音や振動の発生を防ぐことができ、より一層、円滑に且つ良好に前蓋を移動させることができる。
【００２２】
請求項４に記載の発明によれば、前蓋ガイド部材に、後蓋が起立し後方に傾いてストッパ部に当接した状態で前蓋が楽器ケース内に収納されたときに、ガイド軸部の前方への移動を規制する補助ストッパ部が設けられていることにより、後蓋が起立して後方に傾いた状態で、後蓋の前端部を楽器ケース内の後面に設けられたストッパ部に弾力的に当接させただけでも、補助ストッパ部によってガイド軸部の前方への移動を規制することができるので、鍵盤蓋が勝手に閉じる方向に移動するのを阻止することができ、これにより安全性を高めることができる。
【００２３】
請求項５に記載の発明によれば、第２ガイド部が、後蓋の後端部に設けられたピニオンと、楽器ケース内の側面に設けられてピニオンが噛み合って転動するラックと、ピニオンをラックに沿って斜め上下方向にガイドして後蓋を起立させた状態で楽器ケース内に収納させるピニオンガイド溝部とを備えていることにより、鍵盤蓋を開くときに、連結部で折れ曲がる後蓋を斜め下方に向けてガイドして起立させることができ、また鍵盤蓋を閉じるときに、後蓋を斜め上方に向けてガイドして前蓋とほぼ平行な状態にすることができるので、鍵盤蓋の開閉時に後蓋を安定したほぼ一定の状態で移動させることができ、これによっても鍵盤蓋全体を円滑に且つ良好に開閉することができる。
【００２４】
請求項６に記載の発明によれば、後蓋の重量を軽減するためのダンパー部材を備えていることにより、後蓋を斜め下方に向けて移動させて起立させるときに、後蓋がその重量によって急激に移動するのを防ぐことができると共に、後蓋が起立した状態で収納されていても、この後蓋を引き上げるときに、軽い力で引き上げることができ、これにより鍵盤蓋を常にほぼ一定の力で安定した状態で開閉させることができるので、より一層、使い勝手の良いものを得ることができる。
【発明を実施するための最良の形態】
【００２５】
（実施形態１）
以下、図１〜図８を参照して、この発明を鍵盤楽器に適用した実施形態１について説明する。
この鍵盤楽器は、図１〜図４に示すように、楽器ケース１内の前側（図１では左側）に鍵盤部２が配置され、この鍵盤部２の上側に鍵盤蓋３が開閉自在に設けられた構成になっている。
【００２６】
楽器ケース１は、図１〜図４に示すように、底板４を備えている。この底板４の前端部（図１では左端部）には、前板５が立設されており、この底板４の後端部（図１では右端部）に後板６が立設されている。また、底板４の両側部（図１では紙面の表裏面方向）には、側板７がそれぞれ立設されており、これら側板４の上部における後部間（図１では右側部間）には、天板８が後板６の上端部に載置されて設けられている。これにより、楽器ケース１は、前板５と天板８との間が上方に開放された構成になっている。
【００２７】
鍵盤部２は、図１〜図４に示すように、白鍵および黒鍵などの鍵１０を鍵盤シャーシ１１上に複数配列したものであり、この複数の鍵１０が前板５と天板８との間に位置して上部側が外部に露呈した状態で、楽器ケース１内の底板４上に設けられている。また、鍵盤蓋３は、図１〜図４に示すように、前蓋１２と後蓋１３とに分割され、この前蓋１２と後蓋１３とが連結部である蝶番１４によって折れ曲がり可能に連結され、この状態で楽器ケース１内の上部側に前後方向へ移動可能に設けられ、これにより鍵盤部２を開閉自在に覆うように構成されている。
【００２８】
すなわち、この鍵盤蓋３の開閉機構は、図１〜図４に示すように、鍵盤蓋３を開閉するときに前蓋１２を鍵盤部２の前後方向にガイドすると共に前蓋１２が移動するときに前蓋１２の後部側（図１では右側）を支持する第１ガイド部１５と、鍵盤蓋３を開くときに後蓋１３を鍵盤部２の後方から斜め下方に向けてガイドして後蓋１３を起立させる第２ガイド部１６とを備えているほか、この第２ガイド部１６に設けられて後蓋１３が起立した状態のときに図４に示すように後蓋１３の後端部側（図４では下端部側）の移動を阻止して後蓋１３の後端部を回動可能に保持する保持部１７と、楽器ケース１の後板６の内面に設けられて後蓋１３が起立して後方に傾いたときに図４に示すように後蓋１３の前端部（図４では上端部）が弾力的に当接するストッパ部１８とを備えている。
【００２９】
この場合、第１ガイド部１５は、図１〜図６に示すように、前蓋１２の前端部に設けられたガイド軸部２０と、楽器ケース１の両側に位置する側板７の内面にそれぞれ設けられてガイド軸部２０の両端を鍵盤部２に沿って前後方向にガイドする前蓋ガイド部材２１（図１〜図４では片方のみを示す）と、前蓋１２が移動するときに前蓋１２の下面側を支持するガイド支持部２２とを備えている。
【００３０】
すなわち、ガイド軸部２０は、図１〜図５に示すように、前蓋１２の前端部に設けられたフロントカバー２３の下端部に設けられ、その両側が前蓋１２の両側から突出し、この突出した各端部２０ａ（図５では片方のみを示す）がそれぞれ前蓋ガイド部材２１に沿ってガイドされるように構成されている。なお、フロントカバー２３は、図５に示すように、その両端部（図５では片側のみを示す）にガイド支持部２２を避けるための切欠け部２３ａが設けられている。
【００３１】
前蓋ガイド部材２１は、図５および図６に示すように、ガイド軸部２０の端部２０ａが移動自在に挿入するガイド溝部２１ａが設けられた板状部材であり、図１〜図４に示すように、鍵盤部２の前端部からその上部に沿って鍵盤部２の後端部に亘った状態で、楽器ケース１の側板７の内面にそれぞれ埋め込まれて設けられている。ガイド支持部２２は、図６に示すように、楽器ケース１の側板７の内面から突出した状態で、前蓋ガイド部材２１の上端部に一体に設けられ、前蓋１２が移動するときに前蓋１２の後部下面側を支持するように構成されている。
【００３２】
すなわち、このガイド支持部２２は、図１〜図４に示すように、鍵盤部２のほぼ中間部に対応する上部側の箇所から鍵盤部２の後端部に対応する上部側の箇所の間に、緩やかに盛り上がる山形状に連続して設けられている。この場合、ガイド支持部２２は、図１〜図４に示すように、前部側が緩やかに上昇する前側斜面２２ａ、つまり鍵盤蓋３が閉じた状態のときの前蓋１２と後蓋１３との傾斜とほぼ同じ傾斜の斜面に形成され、後部側が緩やかに降下する後側斜面２２ｂに形成されている。これにより、ガイド支持部２２は、図１に示すように、鍵盤蓋３が閉じた状態のときに前蓋１２の後端部がガイド支持部の前側斜面２２ａの近傍に離れて、後蓋１３の前部側の下面を前側斜面２２ａで支持し、前蓋１２が移動するときに前蓋１２の後部下面側を前側斜面２２ａと後側斜面２２ｂとのいずれかで支持するように構成されている。
【００３３】
また、前蓋１２の後部側における下面両側には、図１〜図４に示すように、ガイド支持部２２上を摺動する摺動部材２４（図１〜図４では片方のみを示す）が設けられている。この摺動部材２４は、図７（ａ）〜図７（ｃ）に示すように、前部側と後部側とがそれぞれ斜め上方に傾斜する傾斜部２４ａ、２４ｂに形成されて、全体がそり形状に形成され、図６に示すように、前蓋１２の後部側における下面にビス２４ｃによって取り付けられ、これによりガイド支持部２２上を滑らかに摺動するように構成されている。
【００３４】
一方、第２ガイド部１６は、図１〜図４に示すように、後蓋１３の後端部（図１では右端部）に設けられたピニオン２５と、楽器ケース１の両側に位置する各側板７の内面に設けられてピニオン２５が噛み合って転動するラック２６と、ピニオン２５をラック２６に沿って斜め上下方向にガイドして後蓋１３を起立させた状態で楽器ケース１内に収納させるためのピニオンガイド溝部２７とを備えている。この場合、ピニオン２５は、図８に示すように、ピニオン軸２８の両端部（図８では片側のみを示す）に一体に設けられており、このピニオン軸２８は、図１〜図４に示すように、後蓋１３の後端部に取り付けられた取付板２９に回転自在に取り付けられている。
【００３５】
ラック２６は、図１〜図４に示すように、ピニオン２５が噛み合う歯部が鍵盤部２の後部に対応する上部側から鍵盤部２の後方に沿って円弧状に湾曲し、その下部側が鍵盤部２の後部下方に向けてほぼ垂直に形成されている。ピニオンガイド溝部２７は、図１〜図４に示すように、ピニオン軸２８の各端部２８ａがラック２６に沿って移動自在に挿入する溝であり、ラック２６に沿う曲線状に形成され、その下端部に保持部１７が一体に設けられている。この保持部１７は、後蓋１３が起立した状態のときにピニオン軸２８の端部２８ａが当接することにより、図４に示すように、後蓋１３の後端部側（図４では下端部側）の移動を阻止して後蓋１３の後端部を回動可能に保持するように構成されている。
【００３６】
ストッパ部１８は、例えば無反発・低反発のクッションあるいはゴムなどの緩衝材からなり、図１〜図４に示すように、楽器ケース１の後板６の内面に設けられ、後蓋１３が起立して後方に傾いたときに図４に示すように後蓋１３の前端部（図４では上端部）が弾力的に当接し、これにより後蓋１３を保持するように構成されている。この場合、第１ガイド部１５の前蓋ガイド部材２１には、後蓋１３が起立して後方に傾いた状態でストッパ部１８に当接したときに、前蓋１２のガイド軸部２０が前方へ移動するのを規制する補助ストッパ部３０が設けられている。この補助ストッパ部３０は、前蓋ガイド部材２１のガイド溝部２１ａ内に設けられた段差部であり、この段差部で前蓋１２のガイド軸部２０の端部２０ａを係止するように構成されている。
【００３７】
次に、図１〜図４を参照して、この鍵盤蓋３の開閉動作について説明する。
まず、図１に示すように、鍵盤蓋３を閉じた状態のときには、前蓋１２と後蓋１３とが蝶番１４で折れ曲がることなく、ほぼ平板状に連続して鍵盤部２の上方を覆う。このときには、前蓋１２の前部に設けられたガイド軸部２０の端部２０ａが第１ガイド部１５の前蓋ガイド部材２１におけるガイド溝部２１ａの前端部に位置する。
【００３８】
また、このときには、後蓋１３の後端部に設けられたピニオン２５が第２ガイド部１６のラック２６の上端部に位置すると共に、ピニオン軸２８の端部２８ａがピニオンガイド溝部２７の上端部に位置する。そして、後蓋１３は、その前部側の下面が第１ガイド部１５のガイド支持部２２における前側斜面２２ａに位置し、これにより後蓋１３の前部側がガイド支持部２２で支持されている。また、前蓋１２は、その後端部がガイド支持部２２の前側斜面２２ａから前側に少し離れた状態で接近している。
【００３９】
この状態で、前蓋１２のフロントカバー２３を持ち上げて鍵盤蓋３を楽器ケース１内に向けて押すと、図２に示すように、前蓋１２のガイド軸部２０の端部２０ａが第１ガイド部１５の前蓋ガイド部材２１のガイド溝部２１ａに沿って移動を開始する。これと同時に、後蓋１３のピニオン２５が第２ガイド部１６のラック２６に沿って転動を開始すると共に、ピニオン軸２８の端部２８ａもピニオンガイド溝部２７に沿って移動を開始する。
【００４０】
このときには、図２に示すように、前蓋１２の下面に設けられた摺動部材２４の後部側の傾斜部２４ｂが第１ガイド部１５のガイド支持部２２における前側斜面２２ａ上に移動して前蓋１２の後部がガイド支持部２２で支持されると共に、後蓋１３の前部側下面がガイド支持部２２の後側斜面２２ｂに移動して後蓋１３の前部側がガイド支持部２２で支持される。この状態では、後蓋１３が蝶番１４で僅かに折れ曲がり、後蓋１３が後下がりに緩やかに傾斜する。
【００４１】
この後、更に鍵盤蓋３を楽器ケース１内に向けて押すと、図３に示すように、前蓋１２のガイド軸部２０の端部２０ａが前蓋ガイド部材２１のガイド溝部２１ａに沿って更に後方に移動する。これに伴って、後蓋１３のピニオン２５は第２ガイド部１６のラック２６に沿って斜め下方に転動すると共に、ピニオン軸２８の端部２８ａもピニオンガイド溝部２７に沿って斜め下方に移動する。
【００４２】
このときには、図３に示すように、後蓋１３が第１ガイド部１５のガイド支持部２２から後方に離れるので、後蓋１３が蝶番１４で折れ曲がりながら斜め下方に傾斜して移動するが、前蓋１２は、その下面に設けられた摺動部材２４が第１ガイド部１５のガイド支持部２２の後側斜面２２ｂ上に移動して前蓋１２の後部がガイド支持部２２で支持される。このため、前蓋１２は後下がりに緩やかに傾斜するが、ガイド支持部２２によって前蓋１２の後部の下がりが規制され、この状態で後方に向けて移動する。
【００４３】
そして、鍵盤蓋３が更に楽器ケース１内に向けて押されると、後蓋１３のピニオン２５が第２ガイド部１６のラック２６の下端部に到達すると共に、ピニオン軸２８の端部２８ａがピニオンガイド溝部２７の下端部に設けられた保持部１７に到達して回転自在に保持される。このときには、前蓋１２が後方に移動して摺動部材２４の前部側の傾斜部２４ａがガイド支持部２２の後側斜面２２ｂに移動して前蓋１２の後部がガイド支持部２２で支持され、前蓋１２の下がりが規制されている。
【００４４】
この状態で、鍵盤蓋３が更に楽器ケース１内に向けて押されると、図４に示すように、保持部１７に保持されたピニオン軸２８の端部２８ａを中心に後蓋１３が後方に向けて回動して起立する。このときには、前蓋１２が更に楽器ケース１内に移動し、摺動部材２４がガイド支持部２２から後方に離れるが、起立した後蓋１３によって前蓋１２の後部が支持される。
【００４５】
この後、更に前蓋１２が楽器ケース１内に押し込まれると、保持部１７に保持されたピニオン軸２８の端部２８ａを中心に後蓋１３が更に後方に回動し、図４に示すように、後蓋１３が後方に傾き、この傾いた後蓋１３の上端部が楽器ケース１の後板６の内面に設けられたストッパ部１８に弾力的に当接して保持される。このときには、前蓋１２のガイド軸部２０の端部２０ａが前蓋ガイド部材２１のガイド溝部２１ａの後部に設けられた補助ストッパ部３０に係止され、前蓋１２の前方への移動が規制される。これにより、前蓋１２が天板８の下側に天板８とほぼ平行に収納されると共に、後蓋１３が起立して後方に傾いた状態で収納される。
【００４６】
また、このように収納された鍵盤蓋３を引き出して鍵盤部２を閉じるときには、図４に示すように、前蓋１２のフロントカバー２３を軽く持ち上げて、第１ガイド部１５の補助ストッパ部３０による前蓋１２のガイド軸部２０に対する係止を解除する。この状態で、前蓋１２を引き出すと、起立した後蓋１３が前蓋２の後部を支持した状態で、保持部１７に保持されたピニオン軸２８の端部２８ａを中心に前側に向けて回動するので、軽い力で滑らかに前蓋１２を引き出すことができる。この後は、前蓋１２と後蓋１３とが上述した動作とは逆の動作を行って、図１に示すように、鍵盤蓋３が閉じて鍵盤部２の上方を覆う。
【００４７】
このように、この鍵盤蓋３の開閉機構によれば、前蓋１２と後蓋１３とが蝶番１４で折れ曲がり可能に連結された鍵盤蓋３を開閉するときに、前蓋１２を楽器ケース１内の鍵盤部２の前後方向にガイドすると共に前蓋１２が移動するときに前蓋１２の後部側を支持する第１ガイド部１５と、鍵盤蓋３を開くときに蝶番１４で折れ曲がる後蓋１３を鍵盤部２の後方から斜め下方に向けてガイドして後蓋１３を起立させる第２ガイド部１６とを備えていることにより、鍵盤蓋３を開くときに、第１ガイド部１５によって前蓋１２の後部を支持しながら前蓋１２をガイドすることができると共に、第２ガイド部１６によって後蓋１３を斜め下方に向けてガイドして起立させた状態で楽器ケース１内に収納することができる。
【００４８】
このため、鍵盤蓋３が前蓋１２と後蓋１３とを蝶番１４で折れ曲がり可能に連結した構成であっても、従来例の補助機構のような可動部を必要とせず、簡単な構造で、鍵盤蓋３の開閉時に前蓋１２の後部の下がりを規制して、鍵盤蓋３を安定させた状態で円滑に開閉することができる。特に、鍵盤蓋３の開閉時に第１ガイド部１５が前蓋１２の後部側の下がりを規制しながら前蓋１２を安定させた状態で鍵盤部２の前後方向にガイドするので、前蓋１２と後蓋１３とを図１〜図４に示すようにほぼ同じ大きさ、または前蓋１２を後蓋１３よりも短く形成することができる。このため、前蓋１２と後蓋１３との両者の前後方向への移動距離を短くすることができると共に、前蓋１２と後蓋１３とを楽器ケース１内にコンパクトに収納することができ、これにより楽器ケース１全体のより一層の小型化を図ることができる。
【００４９】
また、鍵盤蓋３を楽器ケース１内に収納したときには、後蓋１３が起立した状態で第２ガイド部１６に設けられた保持部１７によって後蓋１３の後端部が回動可能に保持されるので、この起立した後蓋１３によって前蓋１２の後端部を支持することができ、これにより前蓋１２がガイド支持部２２から後方に離れていても、前蓋１２の後端部を安定して支持することができると共に、この状態で鍵盤蓋３を引き出して閉じるときには、起立した後蓋１３が前蓋１２の後端部を支持しながら保持部１７を中心に回動するので、滑らかに鍵盤蓋３を引き出すことができる。
【００５０】
また、後蓋１３が起立して後方に傾いたときには、楽器ケース１内の後面に設けられたストッパ部１８に後蓋１３の前端部が弾力的に当接するので、鍵盤蓋３を楽器ケース１内に収納したときに、図４に示すように、後蓋１３を起立させて後方に傾けた一定の状態で保持することができ、これにより鍵盤蓋３を安定した一定の状態で良好に楽器ケース１内に収納することができる。特に、ストッパ部１８は、例えば無反発・低反発のクッションあるいはゴムなどの緩衝材で形成されていることにより、後蓋１３の表面を傷付けることがなく、また後蓋１３の当接時の衝撃を吸収し衝撃音の発生をも抑えることができる。
【００５１】
この場合、前蓋ガイド部材２１には、後蓋１３が起立し後方に傾いてストッパ部１８に当接した状態で前蓋１２が楽器ケース１内に収納されたときに、ガイド軸部２０の前方への移動を規制する補助ストッパ部３０が設けられていることにより、後蓋１３が起立して後方に傾いた状態で、後蓋１３の前端部を楽器ケース１内の後面に設けられたストッパ部１８に弾力的に当接させただけでも、補助ストッパ部３０によってガイド軸部２０の前方への移動を規制することができるので、鍵盤蓋３が勝手に閉じる方向に移動するのを阻止することができ、これにより安全性を高めることができる。
【００５２】
また、第１ガイド部１５は、前蓋１２の前端部に設けられたガイド軸部２０と、楽器ケース１内の両側面に設けられてガイド軸部２０の両側の端部２０ａを鍵盤部２に沿ってガイドする前蓋ガイド部材２１と、前蓋１２が移動するときに前蓋１２の下面側を支持するガイド支持部２２とを備えていることにより、前蓋１２のガイド軸部２０が楽器ケース１の前蓋ガイド部材２１に沿ってガイドされるため、前蓋１２を安定したほぼ一定の状態で移動させることができると共に、前蓋１２が移動するときに、ガイド支持部２２によって前蓋１２の後部を確実に支持することができ、これにより可動部を必要としない簡単な構造で、前蓋１２の後部の下がりを規制して、前蓋１２を安定したほぼ一定の状態で良好に開閉移動させることができる。
【００５３】
この場合、ガイド支持部２２は、鍵盤部２のほぼ中間部に対応する箇所から鍵盤部２の後端部に対応する箇所において、緩やかに盛り上がる山形状に連続して形成され、鍵盤蓋３を閉じた状態のときに前蓋１２の後端部近傍に山形状のガイド支持部２２の前端部が位置するように構成されていることにより、前蓋１２を開く方向に移動させたときに前蓋１２の摺動部材２４を速やかにガイド支持部２２の前側斜面２２ａで支持することができ、これにより前蓋１２を安定させた状態で良好に移動させることができる。
【００５４】
この場合、前蓋１２の下面には、前蓋１２が移動するときにガイド支持部２２上を摺動する摺動部材２４が設けられていることにより、前蓋１２の後部がガイド支持部２２で支持されながら移動するときに、前蓋１２の下面に設けられた摺動部材２４がガイド支持部２２上を摺動するので、前蓋１２の動作性が良く、円滑に且つ良好に前蓋１２を移動させることができる。特に、この摺動部材２４は、その前部および後部が斜め上方に傾斜する傾斜部２４ａ、２４ｂに形成されて、全体がそり形状に形成されていることにより、前蓋１２が移動するときに前部と後部とのいずれかの傾斜部２４ａ、２４ｂがガイド支持部２２に滑らかに接触しながら乗り上げるので、前蓋１２をガイド支持部２２で支持しながら円滑に移動させることができる。
【００５５】
また、この鍵盤蓋３の開閉機構では、第２ガイド部１６が、後蓋１３の後端部に設けられたピニオン２５と、楽器ケース１内の側面に設けられてピニオン２５が噛み合って転動するラック２６と、ピニオン２５をラック２６に沿って斜め上下方向にガイドして後蓋１３を起立させた状態で収納するピニオンガイド溝部２７とを備えていることにより、鍵盤蓋３を開くときに、後蓋１３を円滑に斜め下方に向けてガイドして起立させることができ、また鍵盤蓋３を閉じるときに、後蓋１３を円滑に斜め上方に向けてガイドして前蓋１２と平行な状態にすることができるので、鍵盤蓋３の開閉時に後蓋１３を安定したほぼ一定の状態で移動させることができ、これによっても鍵盤蓋３全体を円滑に且つ良好に開閉することができる。
【００５６】
（実施形態２）
次に、図９〜図１２を参照して、この発明を鍵盤楽器に適用した実施形態２について説明する。なお、図１〜図８に示された実施形態１と同一部分には同一符号を付して説明する。
この鍵盤楽器における鍵盤蓋３の開閉機構は、前蓋１２の下面に取り付けられた摺動部材２４に滑り部材３５を設けると共に、楽器ケース１内に後蓋１３の重量を軽減するためのダンパー部材３６を設けた構成で、これ以外は実施形態１と同じ構成になっている。
【００５７】
すなわち、滑り部材３５は、図１１（ａ）〜図１１（ｃ）に示すように、摺動部材２４の下端面に設けられた座ぐり部に、無反発力または低反発力のクッション材３８を設け、滑り性を有する樹脂シート３７でクッション材３８を覆い、この樹脂シート３７を摺動部材２４の下端面に設けることにより、この樹脂シート３７が図９および図１０に示すようにガイド支持部２２上を摺動するように構成されている。
【００５８】
ダンパー部材３６は、図９、図１０、および図１２に示すように、鍵盤部２の後方に位置する楽器ケース１の底板４上に設けられた固定部材３９と、この固定部材３９の上部に取付ピン４０によって上下方向に回動可能に取り付けられたアーム部４１と、取付ピン４０の外周に巻き付けられてアーム部４１を上方に向けて回動させるように付勢するコイルばね４２とからなり、このコイルばね４２のばね力によってアーム部４１の先端がピニオン軸２８を押し上げる方向に弾力的に当接することにより、後蓋１３の重量を軽減するように構成されている。
【００５９】
このような鍵盤蓋３の開閉機構によれば、前蓋１２の下面に取り付けられた摺動部材２４に滑り部材３５を設けたので、前蓋１２の後部がガイド支持部２２で支持されながら移動するときに、摺動部材２４の滑り部材３５がガイド支持部２２上を摺動するので、前蓋１２の動作性が良く、前蓋１２を滑らかに移動させることができる。この場合、滑り部材３５が、滑り性を有する樹脂シート３７で無反発力または低反発力のクッション材３８を覆った構成であることにより、樹脂シート３７でクッション材３８の摩耗を防ぐことができるほか、特に滑り部材３５がガイド支持部２２上を摺動するときに、樹脂シート３７とクッション材３８とによって異音や振動の発生を防ぐことができ、このためより一層、円滑に且つ良好に前蓋１２を移動させることができる。
【００６０】
また、この鍵盤蓋３の開閉機構では、後蓋１３の重量を軽減するためのダンパー部材３６を備えていることにより、後蓋１３を斜め下方に向けて移動させて起立させるときに、後蓋１３がその重量によって急激に移動するのをダンパー部材３６のコイルばね４２のばね力によって防ぐことができると共に、後蓋１３が起立した状態で収納されていても、この後蓋１３を引き上げるときに、ダンパー部材３６のコイルばね４２のばね力によって軽い力で引き上げることができる。これにより、鍵盤蓋３を常にほぼ一定の力で安定した状態で開閉させることができるので、より一層、安全性が高く、使い勝手の良いものを得ることができる。
【００６１】
なお、上記実施形態１または２では、第１ガイド部１５の前蓋ガイド部材２１の上部にガイド支持部２２を楽器ケース１内に突出させて設け、このガイド支持部２２上に前蓋１２の摺動部材２４を摺動させるように構成した場合について述べたが、これに限らず、例えばガイド支持部を溝状に形成して楽器ケース１の側板７内に埋め込んで設け、前蓋１２の下面に取り付けられた摺動部材の一部を、溝状のガイド支持部内に移動可能に挿入して摺動させるように構成しても良い。
【００６２】
この場合にも、溝状のガイド支持部内に挿入する摺動部材の一部に、実施形態２と同様、滑り部材３５を設けても良い。このように構成すれば、実施形態１または２と同様の作用効果があるほか、特に楽器ケース１内にガイド支持部が突出しないため、このガイド支持部によって怪我をすることがなく、安全性の高いものを得ることができる。
【図面の簡単な説明】
【００６３】
【図１】この発明を適用した鍵盤楽器において鍵盤蓋を閉じた状態を示した断面図である。（実施形態１）
【図２】図１において鍵盤蓋を開き始めた状態を示した断面図である。
【図３】図２において更に鍵盤蓋を開いて後蓋が折れ曲がりながら斜め下方に移動した状態を示した断面図である。
【図４】図３において鍵盤蓋が完全に開いて後蓋が起立して後方に傾いた状態を示した断面図である。
【図５】図３のＡ−Ａ矢視における要部の拡大断面図である。
【図６】図２のＢ−Ｂ矢視における要部の拡大断面図である。
【図７】図１〜図４に示された摺動部材を示し、（ａ）はその摺動部材の平面図、（ｂ）はその側面図、（ｃ）はその裏面図である。
【図８】図２のＣ−Ｃ矢視における要部の拡大断面図である。
【図９】この発明を適用した鍵盤楽器において鍵盤蓋を少し開いた状態を示した断面図である。（実施形態２）
【図１０】図９において鍵盤蓋が完全に開いて後蓋が起立して後方に傾いた状態を示した断面図である。
【図１１】図９および図１０に示された摺動部材を示し、（ａ）はその摺動部材の平面図、（ｂ）はその側面図、（ｃ）はその裏面図である。
【図１２】図９および図１０に示されたダンパー部材を示した背面図である。
【符号の説明】
【００６４】
１  楽器ケース
２  鍵盤部
３  鍵盤蓋
１２  前蓋
１３  後蓋
１４  蝶番
１５  第１ガイド部
１６  第２ガイド部
１７  保持部
１８  ストッパ部
２０  ガイド軸部
２１  前蓋ガイド部材
２２  ガイド支持部
２２ａ  前側斜面
２２ｂ  後側斜面
２４  摺動部材
２４ａ、２４ｂ  前後部の傾斜部
２５  ピニオン
２６  ラック
２７  ピニオンガイド溝部
２８  ピニオン軸
３０  補助ストッパ部
３５  滑り部材
３６  ダンパー部材
【図１】
0004650198.tif 000002
【図２】
0004650198.tif 000003
【図３】
0004650198.tif 000004
【図４】
0004650198.tif 000005
【図５】
0004650198.tif 000006
【図６】
0004650198.tif 000007
【図７】
0004650198.tif 000008
【図８】
0004650198.tif 000009
【図９】
0004650198.tif 000010
【図１０】
0004650198.tif 000011
【図１１】
0004650198.tif 000012
【図１２】
0004650198.tif 000013